(57)【要約】【課題】大きなブレードでも安定して回転させることができ、広範囲を曳き釣りするレイクトローリングのスピナーの用途に好適に用いることができる天然貝スピナーを提供する。【解決手段】無垢の貝の内側をカップ状に窪ませたブレード１を設け、該ブレード１の内側にフック３を配設するとともに、撚り止めとして設けたスイベル４の後部に、該ブレード１のアイ１１と、前記フック３のアイ３１とを同軸で回転するように係着する。【選択図】図１
2016002078.tif 000002
【特許請求の範囲】
【請求項１】
ブレードの一端を回転可能に支持し、水流により該ブレードが回転するようにしたスピナーにおいて、無垢の貝の内側をカップ状に窪ませたブレードを設け、該ブレードの内側にフックを配設するとともに、撚り止めとして設けたスイベルの後部に、該ブレードの一端と、前記フックのアイとを同軸で回転するように係着したしたことを特徴とする天然貝スピナー。
【発明の詳細な説明】
【発明が属する技術分野】
【０００１】  本発明は、天然貝のブレードを用いたスピナールアーに関し、特に、レイクトローリングに使用して好適な天然貝スピナーに関するものである。
【背景技術】
【０００２】  イワナやサクラマス等のトラウト類を釣るルアーとして、スプーンとともにスピナーというルアーが使用されている。【０００３】  このスピナーは、金属製ブレードの一端のアイが、クレビスと呼ばれるＵ字金具を介してステンレス線に装着されており、水中を引くことにより、水流でブレードが回転するようになっている。
【発明の開示】
【発明が解決しようとする課題】
【０００４】  ところで、この従来のスピナーは、いわゆる片持式でブレードを回転させるため、軸となるステンレス線には、ぶれを抑制して、ブレードを円滑に回転させるための錘体が装着されている。【０００５】  しかしながら、この錘体で抑制するぶれにも限度が有り、大きなブレードを装着すると、軸となるステンレス線がブレードの遠心力を受けてぶれ、ブレードが円滑に回転することができないという問題があった。【０００６】  本発明は、上記従来のスピナーが有する問題点に鑑み、天然貝による大きなブレードを装着しても、該ブレードを円滑に回転させることができる天然貝スピナーを提供することを目的とする。
【課題を解決するための手段】
【０００７】  上記目的を達成するため、本発明の天然貝スピナーは、ブレードの一端を回転可能に支持し、水流により該ブレードが回転するようにしたスピナーにおいて、無垢の貝の内側をカップ状に窪ませたブレードを設け、該ブレードの内側にフックを配設するとともに、撚り止めとして設けたスイベルの後部に、該ブレードの一端と、前記フックのアイとを同軸で回転するように係着したことを特徴とする。
【発明の効果】
【０００８】  本発明の天然貝スピナーによれば、無垢の貝の内側をカップ状に窪ませたブレードを設け、該ブレードの内側にフックを配設するとともに、撚り止めとして設けたスイベルの後部に、該ブレードの一端と、前記フックのアイとを同軸で回転するように係着することから、大きなブレードを装着しても、その回転による遠心力は概ねスイベルの後方に作用するため、ブレードの支持が安定し、大きなブレードでも安定して回転させることができる。
また、ブレードの内側に配設されたフックは、該ブレードと共に回転することができ、魚にフックとは認識させることなく、ルアーの一部として見せ、食いつかせることができる。
【発明を実施するための最良の形態】
【０００９】  以下、本発明の天然貝スピナーの実施の形態を、図面に基づいて説明する。
図１〜図３に、本発明の天然貝スピナーの一実施例を示す。【００１０】  この天然貝スピナーは、ブレード１の一端を回転可能に支持し、水流により該ブレード１が回転するようにしたスピナーであり、炭酸カルシウムを主成分とする真珠光沢層を有する無垢の天然貝、例えば、夜光貝や白蝶貝等の貝殻でブレード１を形成している。
このブレード１は、無垢の貝の内側が全体的にカップ２のように窪むよう、貝の適当な部分を切り出したり、内側を切削したりしている。【００１１】  そして、この天然貝スピナーは、ブレード１の内側にフック３を配設するとともに、撚り止めとして設けたスイベル４の後部に、該ブレード１の一端に設けた係着部としてのアイ１１と、前記フック３のアイ３１とを、同軸で回転するようにスプリットリング５を介して一体に係着している。【００１２】  スイベル４は、市販のもので、撚りを多く吸収できるように、数珠のように３連となったヨリモドシの構成を有している。
このスイベル４の軸が中心軸であり、この中心軸を回転軸として前記ブレード１とフック３が同軸に回転する。【００１３】  フック３は、本実施例では、アラミド繊維の編み糸３２でアイ３１が形成されたシングルフックからなり、編み糸からなるアイ３１は適度な長さと屈曲性を有している。
また、このフック３はアイ３１が縦になる縦アイで、ブレード１と共に回転しやすいように、ブレード１の外側から見て、針先３４が右側に位置するように配設されている。
フック３は軸がピンクのメタリックカラーで、チモト３３が赤色をしており、魚は小さな面積の赤系統色を好むので食いつきやすくなっている。【００１４】  ブレード１は、前記したように無垢の天然貝からなり、内側全体がカップ状に窪むように形成されている。
ブレード１のサイズは、例えば、長さが４０ｍｍ前後で、幅が２０ｍｍ前後の略卵形で、形状は従来と変わらないとしても、面積は３〜４倍ある大きなものである。【００１５】  これは、レイクトローリングに特化したもので、天然貝のブレード１を大きくして目立たせるとともに、ブレード１の天然貝の自然な光で食いつかせるためである。
レイクトローリングでは、スピナーをキャストしたりする必要がないため、錘体が無かったり、空気抵抗が大きかったりしても何ら問題はない。【００１６】  この実施例の天然貝スピナーを水中で曳くと、水の抵抗でブレード１が積極的に回転する。
このとき、図３に示すように、ブレード１はフック３の外側を先端が開き気味になるように回転し、フック３は中心軸のほぼ軸線上で従動的に回転する。【００１７】  かくして、本実施例の天然貝スピナーは、無垢の貝の内側をカップ状に窪ませたブレード１を設け、該ブレード１の内側にフック３を配設するとともに、撚り止めとして設けたスイベル４の後部に、該ブレード１の一端と、前記フック３のアイ３１とを同軸で回転するように係着することから、大きなブレード１を装着しても、その回転による遠心力は概ねスイベル４の後方に作用するため、ブレード１の支持が安定し、大きなブレード１でも安定して回転させることができる。【００１８】  また、ブレード１の内側に配設されたフック３は、該ブレード１と共に回転することができ、魚にフック３とは認識させることなく、ルアーの一部として見せ、食いつかせることができる。【００１９】  以上、本発明の実施例をスピナーを説明したが、本発明の天然貝スピナーはこの実施例の記載に限定されるものではない。
例えば、シングルフックをトリプルフックにしたり、スイベルの形状を他のものにしたりすることが可能である。
【産業上の利用可能性】
【００２０】  以上、本発明の天然貝スピナーは、無垢の貝の内側をカップ状に窪ませたブレードを設け、該ブレードの内側にフックを配設するとともに、撚り止めとして設けたスイベルの後部に、該ブレードの一端と、前記フックのアイとを同軸で回転するように係着したことから、大きなブレードを装着しても、その回転による遠心力は概ねスイベルの後方に作用するため、ブレードの支持が安定し、大きなブレードでも安定して回転させることができ、これにより、広範囲を曳き釣りするレイクトローリングのスピナーの用途に好適に用いることができる。
【図面の簡単な説明】
【００２１】
【図１】本発明の天然貝スピナーの一実施例を示す正面図である。
【図２】同実施例の天然貝スピナーの断面図である。
【図３】同実施例の天然貝スピナーが回転する状態を示す説明図である。
【符号の説明】
【００２２】１  ブレード
１１  アイ
２  カップ
３  フック
３１  アイ
３２  編み糸
３３  チモト
３４  針先
４  スイベル
５  スプリットリング
【図１】
2016002078.tif 000003
【図２】
2016002078.tif 000004
【図３】
2016002078.tif 000005